(57)【要約】【課題】駐車する車種に応じて屋根１の高さを調整することができるカーポート。【解決手段】支柱２と支柱２に支持された屋根１とから構成されたカーポートにおいて、支柱２を上部支柱２ｂと下部支柱２ａに２分割し、上部支柱２ｂを下部支柱２ａに対して上下方向に摺動自在に設け、一方の支柱２にはその長手方向に沿って調整ボルト１２を固定し、他方の支柱２には上記調整ボルト１２に螺合する調整ナット１６を設けるとともに、上部支柱２ｂと下部支柱２ａとを固定ボルト２０により所定位置で固定する。【選択図】図１
2012062622.tif 000002
【特許請求の範囲】
【請求項１】
支柱と支柱に支持された屋根とから構成されたカーポートにおいて、
上記支柱を上部支柱と下部支柱に２分割し、上部支柱を下部支柱に対して上下方向に摺動自在に設け、一方の支柱にはその長手方向に沿って調整ボルトを固定し、他方の支柱には上記調整ボルトに螺合する調整ナットを設けるとともに、上部支柱と下部支柱とを固定ボルトにより所定位置で固定する
ことを特徴とするカーポート。
【請求項２】
支柱と支柱に支持された屋根とから構成されたカーポートにおいて、
上記支柱を上部支柱と下部支柱に２分割し、上部支柱を下部支柱に対して上下方向に摺動自在に設け、
上記上部支柱を平行に設けられた２本の平行支柱によって構成し、下部支柱には、上記平行支柱をそれぞれ摺動自在に収容する収容部を形成するとともに、
上部支柱と下部支柱とを固定ボルトにより所定位置で固定する
ことを特徴とするカーポート。
【請求項３】
支柱と支柱に支持された屋根とから構成されたカーポートにおいて、
上記屋根の基部をスライド部材に固定し、このスライド部材を上記支柱に上下方向に摺動自在に設けるとともに、上記支柱とスライド部材とを固定ボルトにより所定位置で固定する
ことを特徴とするカーポート。
【請求項４】
上記スライド部材は上下に２分割されていることを特徴とする、請求項３に記載のカーポート。
【請求項５】
支柱と支柱に支持された屋根とから構成されたカーポートにおいて、
上記屋根の基部を上記支柱に回動自在に取り付け、上記屋根を上方から吊り下げて支持するとともに、吊り下げ度合いを調整して上記屋根の角度を可変できるようにしたことを特徴とするカーポート。
【発明の詳細な説明】
【技術分野】
【０００１】
本発明は、屋根の高さを上下方向に移動調整できるカーポートに関する。
【背景技術】
【０００２】
一般に、カーポートは支柱とルーフとから構成されている。カーポートの高さは一定であるから、保有している自動車の全高に応じて、カーポートを選択しなければならない。例えば、家族が増えるに従って普通乗用車からワゴン車タイプの全高の高い車種に買い代えたいという場合は、カーポートも既設のカーポートを壊して屋根の高いカーポートに代える必要がある。
【０００３】
このような不都合を解消するため、屋根を支持する支柱の高さを調整する機構を設けたものが提案されている（特許文献１参照）。これは支柱を下部支柱と上部支柱に分割し、上部支柱が下部支柱の長手方向に沿って上下にスライド可能とし、所望の位置でボルトと調整金具で固定できるようにしたものである。
【先行技術文献】
【特許文献】
【０００４】
【特許文献１】実開昭６３−１３４０２５号公報
【発明の概要】
【発明が解決しようとする課題】
【０００５】
しかしながら、このような支柱分割構造では、支柱自体の強度が小さくならざるを得ないので、各支柱の断面積を大きくするか、肉厚にする必要がある。このため、必然的にコスト高になるという問題があった。
【０００６】
本発明は上記問題点を解消し、駐車する車種に応じて屋根の高さを調整することができるカーポートを提供することをその課題とする。
【課題を解決するための手段】
【０００７】
上記課題を解決するため、請求項１に係る発明は支柱と支柱に支持された屋根とから構成されたカーポートにおいて、上記支柱を上部支柱と下部支柱に２分割し、上部支柱を下部支柱に対して上下方向に摺動自在に設け、一方の支柱にはその長手方向に沿って調整ボルトを固定し、他方の支柱には上記調整ボルトに螺合する調整ナットを設けるとともに、上部支柱と下部支柱とを固定ボルトにより所定位置で固定することを特徴とする。
【０００８】
請求項２に係る発明は、支柱と支柱に支持された屋根とから構成されたカーポートにおいて、上記支柱を上部支柱と下部支柱に２分割し、上部支柱を下部支柱に対して上下方向に摺動自在に設け、上記上部支柱を平行に設けられた２本の平行支柱によって構成し、下部支柱には、上記平行支柱をそれぞれ摺動自在に収容する収容部を形成するとともに、上部支柱と下部支柱とを固定ボルトにより所定位置で固定することを特徴とする。
【０００９】
請求項３に係る発明は、支柱と支柱に支持された屋根とから構成されたカーポートにおいて、上記屋根の基部をスライド部材に固定し、このスライド部材を上記支柱に上下方向に摺動自在に設けるとともに、上記支柱とスライド部材とを固定ボルトにより所定位置で固定することを特徴とする。
【００１０】
請求項４に係る発明は、請求項３において、上記スライド部材は上下に２分割されていることを特徴とする。
【００１１】
請求項５に係る発明は、支柱と支柱に支持された屋根とから構成されたカーポートにおいて、上記屋根の基部を上記支柱に回動自在に取り付け、上記屋根を上方から吊り下げて支持するとともに、吊り下げ度合いを調整して上記屋根の角度を可変できるようにしたことを特徴とする。
【発明の効果】
【００１２】
請求項１に係る発明によれば、屋根の高さを調整するときは、調整ナットを回転させて調整ボルトに対して上下方向に調整移動させ、下部柱に対する上部柱の高さを所定の位置まで上昇又は下降させて仮止めする。そして、固定ボルトを下部支柱のボルト挿通孔から挿通して上部支柱のネジ穴に螺合させる。これにより、下部支柱に対して上部支柱を屋根高さが調整された位置で固定することができる。したがって、上記構成のカーポートによれば、駐車する車種に応じて屋根の高さを調整することができる。
【００１３】
請求項２に係る発明において、屋根の高さを調整するときは、調整ナットを回転させて調整ボルトに対して上下方向に調整移動させ、下部柱に対する上部柱の高さを所定の位置まで上昇又は下降させ、固定ボルトを下部支柱のボルト挿通孔から挿通して上部支柱のネジ穴に螺合させる。これにより、下部支柱に対して上部支柱を屋根高さが調整された位置で固定することができる。
【００１４】
請求項３に係る発明において、屋根の高さを調整するときは、スライド部材を支柱に対して上下方向に摺動させて支柱に対する屋根の高さを所定の位置まで上昇又は下降させ、固定ボルトをスライド部材のボルト挿通孔から挿通して支柱のネジ穴に螺合させる。これにより、支柱に対して屋根を調整位置で固定することができる。
【００１５】
請求項４に係る発明のように、スライド部材は上下に２分割されている構成であってもよい。
【００１６】
請求項５に係る発明によれば、屋根の角度はスライド金具をレール部に沿ってスライドさせることで調整することができる。このように、支持部材による吊り下げ度合いを調整して上記屋根の角度を可変できるから、屋根の角度を調整することにより屋根の高さを調整することができる。すなわち、スライド金具を屋根の先端側に移動させると、屋根の設置面に対する角度は大きくなるので、屋根全体の高さは高くなる。これに対し、スライド金具を屋根の基部側に移動させると、屋根の設置面に対する角度は小さくなるので、屋根全体の高さは低くなる。
【図面の簡単な説明】
【００１７】
【図１】本発明のカーポートの要部を示す一部断面図
【図２】図１の一部の拡大図
【図３】図２におけるＸ−Ｘ線上の拡大断面図
【図４】支柱の長さが調整された状態の拡大図
【図５】カーポートの他の実施形態の側面図
【図６】図５のＹ−Ｙ線上の拡大断面図
【図７】カーポートのさらに他の実施形態の一部の側面図
【図８】（ａ）は下部支柱の、（ｂ）は平行支柱の、（ｃ）は下部支柱に平行支柱が嵌合された状態のそれぞれ断面図であり、（ｄ）は屋根の取付態様説明図
【図９】カーポートの別の実施形態の一部の側面図
【図１０】カーポートのさらに別の実施形態の一部の側面図
【図１１】（ａ）はカーポートの他の実施形態の一部の側面図、（ｂ）はＺ−Ｚ線上の拡大断面図
【図１２】カーポートのさらに他の実施形態の一部の側面図
【発明を実施するための形態】
【００１８】
図１は本発明のカーポートを示すもので、このカーポートは屋根１と屋根１を支持する支柱２とから構成されている。
【００１９】
支柱２は駐車スペースの片側だけに間隔をおいて複数本設ける場合と両側にそれぞれ複数本設ける場合とがあり、片側に設ける場合は片流れとなり、両側に設ける場合は切妻となる。支柱２の上端には「く」の字形に屈曲した連結部材３の垂直部３ａが嵌合して固定され、他方の張り出し部３ｂには屋根１が支持されている。すなわち、張り出し部３ｂには屋根材６を支持する梁４が固定されている。隣り合う梁４の上に母屋７、前枠８ａ及び後枠８ｂが固定され、これらの上に垂木５が固定され、垂木５の上に屋根材６が支持され、さらに屋根押え材９で押えて固定している。
【００２０】
支柱２は金属製で、それぞれ断面が長方形の中空の下部支柱２ａと上部支柱２ｂとに２分割されている。そして、上部支柱２ｂの断面は下部支柱２ａの断面よりも一回り小さく、上部支柱２ｂは下部支柱２ａに対して上下方向に摺動自在に設けられている。
【００２１】
次に、図２に示されるように、上部支柱２ｂの長辺側の側面部とその反対側の側面部にはボルト固定金具１０が固定されている。ボルト固定金具１０はＬ字形に形成され、水平片１１にはその長手方向に沿うように配置された長尺の調整ボルト１２がダブルナットにより固定されている。調整ボルト１２はカバー１３（図３参照）で覆ってもよい。これに対し、下部支柱２ａには、図３に示されるように、上部支柱２ｂと同じ側面部に受け金具１４が固定されている。受け金具１４もＬ字形に形成され、その水平片１５上には調整ナット１６が回転可能に支持されている。調整ボルト１２は調整ナット１６に螺合し、水平片１５を貫通している。上部支柱２ｂの側面部には長手方向に沿って２条の凹溝１７が形成されている。この凹溝１７は下部支柱２ａの受け金具１４を固定する固定ビス１８と干渉しないようにする逃げ溝である。なお、固定金具１０と受け金具１４は同大、同形状の金具を兼用することができる。
【００２２】
さらに、上部支柱２ｂの側面部には、短辺側の側面部に一定の間隔をおいて固定ボルト２０と螺合するネジ穴２１が形成され、これに対し、下部支柱２ａの同側の側面部には固定ボルト２０が挿通可能なボルト挿通孔２２が形成されている。
【００２３】
上記構成において、屋根１の高さを調整するときは、調整ナット１６を回転させることにより、図４に示されるように、調整ボルト１２に沿って上下方向に調整移動させ、下部支柱２ａに対する上部支柱２ｂの高さを所定の位置まで上昇又は下降させて仮止めする。そして、固定ボルト２０を下部支柱２ａのボルト挿通孔２２から挿通して上部支柱２ｂのネジ穴２１に螺合させる。これにより、下部支柱２ａに対して上部支柱２ｂを屋根１高さが調整された位置で固定することができる。
【００２４】
したがって、上記構成のカーポートによれば、駐車する車種に応じて屋根１の高さを調整することができる。
【００２５】
なお、上述の実施形態では、調整ボルト１２を支柱２の外側に配置しているが、調整ボルト１２はこれに限定されない。例えば、図５、図６に示されるように、上部支柱２ｂの上端にボルト固定金具１９を固定し、この固定金具１９から調整ボルト１２を上部支柱２ｂの内部を通るように配置する。下部支柱２ａの内部にはＣ字形の受け金具１４ａ、１４ｂを固定し、その中央の貫通孔に調整ボルト１２を貫通させ、受け金具１４の上面に調整ボルト１２に螺合した調整ナット１６を回転可能に配置する構成であってもよい。
【００２６】
上記構成においても、屋根１の高さを調整するときは、適宜の治具によって調整ナット１６を回転させて下部支柱２ａに対する上部支柱２ｂの高さを所定の位置まで上昇又は下降させて仮止めする。そして、固定ボルト２０を、図１の実施形態と同様に形成された下部支柱２ａのボルト挿通孔から挿通して上部支柱２ｂのネジ穴に螺合させて、下部支柱２ａに対して上部支柱２ｂを屋根１高さが調整された位置で固定することができる。
【００２７】
なお、調整ナット１６をボルト固定金具１０の水平片１１に固定し、調整ボルト１２を回転可能に設ける構成であってもよい。この場合、調整ボルト１２を回転させることにより受け金具１４の位置を可変調整することができる。
【００２８】
次に、屋根１の高さを調整するためには、図７及び図８（ａ）〜（ｄ）に示されるように、下部支柱２ａに２つの中空の収容部を形成する一方、上部支柱２ｂを平行に設けられた２本の平行支柱２５によって構成し、これら平行支柱２５を下部支柱２ａの収容部２４に上下方向に摺動自在に収容する構成としてもよい。
【００２９】
下部支柱２ａの中央には連結部２３が形成され、その両端には平行支柱２５を収容する収容部２４が膨突形成されている。
【００３０】
なお、屋根１については、平行支柱２５の上端の一側面には連結部材２３が固定され、連結部材２３に梁４が支持された構成となっている。
【００３１】
また、上部支柱２ｂの短辺側の側面部には、一定の間隔をおいて固定ボルト２０と螺合するネジ穴が形成され、これに対し、下部支柱２ａの同側の側面部には固定ボルト２０が挿通可能なボルト挿通孔が形成されている。
【００３２】
上記構成において、屋根１の高さを調整するときは、下部支柱２ａに沿って平行支柱２５を摺動させて、その高さを所定の位置まで上昇又は下降させ、上述の実施形態と同様に固定ボルト２０を下部支柱２ａのボルト挿通孔から挿通して上部支柱２ｂのネジ穴に螺合させる。これにより、下部支柱２ａに対して上部支柱２ｂを屋根高さが調整された位置で固定することができる。
【００３３】
次に、屋根１の高さを調整するためには、図９に示されるように、屋根１の基部をスライド部材２６に固定し、このスライド部材２６を上記支柱２に上下方向に摺動自在に設ける構成としてもよい。
【００３４】
スライド部材２６は中空に形成され、中空部には支柱２が摺動自在に嵌合するように形成されている。また、スライド部材２６の屋根１側の側面の上下部には、それぞれコ字形の上部取付金具２７と下部取付金具２８とが固定され、下部取付金具２８には屋根１の基部が固定され、上部取付金具２７には屋根１の先端側を支持する支持部材２９の基部が固定されている。支持部材２９の先端は屋根１の先端側の上部に固定されている。
【００３５】
支柱２の側面部には、一定の間隔をおいて固定ボルト２０と螺合するネジ穴２１が形成され、これに対し、スライド部材２６の同側の側面部には固定ボルト２０が挿通可能なボルト挿通孔２２が形成されている。
【００３６】
上記構成において、屋根１の高さを調整するときは、スライド部材２６を支柱２に対して上下方向に摺動させて支柱２に対する屋根１の高さを所定の位置まで上昇又は下降させ、固定ボルト２０をスライド部材２６のボルト挿通孔２２から挿通して支柱２のネジ穴２１に螺合させる。これにより、支柱２に対して屋根１を調整位置で固定することができる。
【００３７】
なお、スライド部材２６は図１０に示されるように、上下のスライド部材２６ａ、２６ｂに２分割されている構成であってもよい。
【００３８】
さらに、屋根１の高さを調整するためには、図１１（ａ）（ｂ）に示されるように、屋根１の基部を上記支柱２に回動自在に取り付け、上記屋根１の梁４を上方から吊り下げて支持するとともに、吊り下げ度合いを調整して屋根１の角度を可変できるように構成としてもよい。
【００３９】
すなわち、支柱２の上部に上部取付金具３１と下部取付金具３２とが固定され、下部取付金具３２には梁４の基部が回動自在に軸支され、上部取付金具３１には梁４の支持部材２９の基部が回動自在に軸支されている。支持部材２９の先端は梁４の上部に設けられたスライド金具３３に回動自在に軸支されている。スライド金具３３は梁４の基部と先端との間に設けられたレール部３４に沿って摺動可能に設けられ、所望の位置でレール部３４の裏側に配置されたネジ持ち３５にボルト３６で締結固定されるようになっている。これにより、屋根１は支持部材２９により上方から吊り下げられて支持される。
【００４０】
上記構成によれば、屋根１の角度はスライド金具３３をレール部３４に沿ってスライドさせることで支持部材２９による吊り下げ度合いを調整して屋根１の角度を可変できるから、屋根１の角度を調整することにより屋根１の高さを調整することができる。すなわち、スライド金具を屋根１の先端側に移動させると、屋根１の設置面に対する角度は大きくなるので、屋根１全体の高さは高くなる。これに対し、スライド金具を屋根１の基部側に移動させると、屋根１の設置面に対する角度は小さくなるので、屋根１全体の高さは低くなる。
【００４１】
なお、屋根１の角度を可変調整する構成としては、図１２に示されるように、屋根１のコ字形取付金具３７の両側板３８を略半円形とし、側板３８の中央部に屋根１のヒンジとなる取付ボルト３９を取り付け、側板３８の周縁部に固定ボルト２０を挿通するための挿通孔２２を貫通形成しておき、屋根１の角度を所定の角度にしたときに、固定ボルト２０を挿通孔２２に挿通し、取付ボルト３９と固定ボルト２０によって固定すればよい。
【符号の説明】
【００４２】
１    屋根
２    支柱
２ａ  下部支柱
２ｂ  上部支柱
１２  調整ボルト
１６  調整ナット
２０  固定ボルト
２５  平行支柱
２６  スライド部材
【図１】
2012062622.tif 000003
【図２】
2012062622.tif 000004
【図３】
2012062622.tif 000005
【図４】
2012062622.tif 000006
【図５】
2012062622.tif 000007
【図６】
2012062622.tif 000008
【図７】
2012062622.tif 000009
【図８】
2012062622.tif 000010
【図９】
2012062622.tif 000011
【図１０】
2012062622.tif 000012
【図１１】
2012062622.tif 000013
【図１２】
2012062622.tif 000014